【手続補正書】
【提出日】平成20年5月23日(2008.5.23)
【手続補正１】
【補正対象書類名】特許請求の範囲
【補正対象項目名】全文
【補正方法】変更
【補正の内容】
【特許請求の範囲】
【請求項１】
多キャリア変調システムのための受信機であって、
伝送媒体を介して上記受信機に対して送信されたアナログ信号を受けて、該アナログ信号をデジタル時間領域信号に変換するアナログ−デジタル（Ａ／Ｄ）変換器と、
上記Ａ／Ｄ変換器に動作的に接続され、該デジタル時間領域信号を受けて、該デジタル時間領域信号をデジタル周波数領域データに変換する多キャリア復調器と、
上記多キャリア復調器に動作的に結合され、周波数領域モデルに従って無線周波数（ＲＦ）干渉をモデル化することによって該デジタル周波数領域データに対するＲＦ干渉の影響を軽減するデジタルＲＦ干渉打消器と
を含み、
該デジタル周波数領域データは該多キャリア変調システムによって使用される複数の周波数トーンに与えられ、
該周波数領域モデルは次式に従って作成され、 
2007195218.tif 000001
ここで、ＲＦＩｎ＋ｍは周波数（ｎ＋δ）の無線干渉による周波数トーンｎ＋ｍでの該ＲＦ干渉であり、δはオフセット量であり、ＭＯは該周波数領域モデルのモデル次数であり、Ａｋは複素数であるようにした受信機。
【請求項２】
請求項１に記載の受信機において、上記デジタルＲＦ干渉打消器は、ＲＦ干渉の周波数を推定し、該ＲＦ干渉のための該周波数領域モデルと該ＲＦ干渉の該推定した周波数とに従って該ＲＦ干渉を推定し、該推定したＲＦ干渉を該デジタル周波数領域データから除去することによって該デジタル周波数領域データでの該ＲＦ干渉の影響を軽減するようにした受信機。
【請求項３】
請求項１に記載の受信機において、該デジタル時間領域信号は、データを搬送しかつ各々が循環プレフィックスを有する複数の多キャリア変調シンボルを含んでおり、
上記受信機はさらに、
上記Ａ／Ｄ変換器と上記多キャリア復調器との間に動作的に接続された循環プレフィックス除去およびウインドウ化プロセッサを含み、上記プロセッサは該シンボルに時間領域ウインドウ化動作を行ない、該時間領域ウインドウ化は、各シンボルに対して、所定の係数と掛算される該循環プレフィックスの一部を該シンボルの後ろ部分に加えるようにした受信機。
【請求項４】
請求項３に記載の受信機において、上記受信機はさらに、
該アナログ信号が上記Ａ／Ｄ変換器に供給される前に該アナログ信号からＲＦ干渉を減少するように動作的に接続されたアナログＲＦ打消器を含む受信機。
【請求項５】
請求項３に記載の受信機において、該時間領域ウインドウ化は拡張されたウインドウ化であり、各シンボルに対して該ウインドウは該シンボルの境界を越えて該循環プレフィックス内に拡張するようにした受信機。
【請求項６】
多キャリア変調システムにおいてＲＦ干渉を軽減する方法であって、
（ａ）１つの周波数帯域に関連した周波数領域データを獲得する操作と、
（ｂ）該周波数帯域内の制約周波数副帯域を識別する操作と、
（ｃ）該制約周波数副帯域内の該ＲＦ干渉の周波数を推定する操作と、
（ｄ）該ＲＦ干渉に対する周波数領域モデルおよび該ＲＦ干渉の該推定した周波数に従って該ＲＦ干渉を推定する操作と、
（ｅ）該推定したＲＦ干渉を該周波数領域データから除去する操作と
を含む、方法。
【請求項７】
請求項６に記載の方法において、
該周波数領域データは複数の周波数領域データサンプルを含んでおり、
該ＲＦ干渉の該周波数の上記推定は、
該制約周波数副帯域内の該周波数領域データサンプルの最大データサンプルを決定し、該最大データサンプルと近接する最大近接データサンプルを決定する操作と、
該最大データサンプルおよび該最大近接データサンプルに基づいて該制約周波数副帯域内の該ＲＦ干渉の該周波数を決定する操作と
を含む、方法。
【請求項８】
請求項６に記載の方法において、該ＲＦ干渉がウインドウ化された被変調正弦波としてモデル化されている該ＲＦ干渉のための時間領域モデルに該周波数領域モデルが基づいている方法。
【請求項９】
請求項８に記載の方法において、該正弦波はウインドウ化された変調エンベロープによって変調されるようにした方法。
【請求項１０】
請求項８に記載の方法において、該正弦波は直線的に変化するウインドウ化された変調エンベロープによって変調されるようにした方法。
【請求項１１】
請求項８に記載の方法において、該正弦波は第ｎ次多項式変調エンベロープによって変調されるようにした方法。
【請求項１２】
請求項６に記載の方法において、該周波数領域データは複数の周波数領域データサンプルを含んでおり、
該ＲＦ干渉を推定する上記操作は、該周波数領域データサンプルの少なくとも一部に対する該ＲＦ干渉を推定し、
該推定したＲＦ干渉を該周波数領域データから除去する上記操作は、該一部における該周波数領域データサンプルの各々に対して、該周波数領域データサンプルからその周波数領域データサンプルの該推定されたＲＦ干渉を減算する操作を含む、方法。
【請求項１３】
請求項６に記載の方法において、該周波数領域データは複数の周波数領域データサンプルを含んでおり、
上記方法はさらに、該制約周波数帯域内の該周波数領域データサンプルをあるスレッショルド量と比較する操作を含み、
該制約周波数帯域に対して、該周波数領域データサンプルが該スレッショルド量よりも小さいことを上記比較操作が決定したときに上記推定操作（ｄ）および上記除去操作（ｅ）の少なくとも一方がバイパスされるようにした、方法。
【請求項１４】
請求項６に記載の方法において、該制約周波数副帯域内にデータが伝送されないようにした方法。
【請求項１５】
請求項６に記載の方法において、上記獲得操作（ａ）の該周波数領域データは時間領域データとして最初に受信され、該時間領域データは時間領域ウインドウ化動作を受けるようにされ、その後該ウインドウ化された時間領域データは該周波数領域に変換されるようにした方法。
【請求項１６】
ＲＦ干渉からサイドローブ干渉を減少するように、所定の周波数トーンで生じかつ多キャリア変調シンボルを形成する多キャリア変調サンプルをデジタル的に濾波する方法であって、
１つの多キャリア変調シンボルのｘ個のサンプルと、該多キャリア変調シンボルの該ｘ個のサンプルよりも先行する、該多キャリア変調シンボルと関連した循環プレフィックスのｙ個のサンプルとを受信する操作と、
該多キャリア変調シンボルと関連した該循環プレフィックスの該ｙ個のサンプルの初めの部分を放棄する操作と、
該多キャリア変調シンボルと関連した該循環プレフィックスの該ｙ個のサンプルの残りの部分を記憶する操作と、
該多キャリア変調シンボルの該ｘ個のサンプルの第１の部分を変調しないで保留する操作と、
該多キャリア変調シンボルの該ｘ個のサンプルの第２の部分を該循環プレフィックスの該ｙ個のサンプルの該残りの部分の該記憶されたサンプルと所定の掛算係数とに従って変更する操作と
を含む方法。
【請求項１７】
請求項１６に記載の方法において、多キャリア変調シンボルの該ｘ個のサンプルと該多キャリア変調シンボルに関連した循環プレフィックスのｙ個のサンプルとの上記受信は多キャリア変調システムの送信機から伝送媒体を介して受信されたデータのストリームであるようにした方法。
【請求項１８】
請求項１６に記載の方法において、該多キャリア変調シンボルの各ｘサンプルに対して、上記方法は上記変更を行なうためｊの掛算演算と２ｊの加算演算を用いるようにしており、ここでｊは該循環プレフィックスの該ｙ個のサンプルの該残りの部分のサンプル数を表す整数であるようにした方法。
【請求項１９】
請求項１８に記載の方法において、該所定の掛算係数は二乗余弦関数に関連するようにした方法。
【請求項２０】
請求項１６に記載の方法において、該多キャリア変調シンボルの該ｘ個のサンプルの該第２の部分の上記変更は、
該所定の掛算係数の適切な１つを受けることと、
該循環プレフィックスの該ｙ個のサンプルの該残りの部分と該多キャリア変調システムの該ｘ個のサンプルの該第２の部分とのサンプルの対応する対間の差の量を決定することと、
調節量を作るために該所定の掛算係数の該適切な１つと該差の量を掛算することと、
該対応する対の該ｘ個のサンプルの該第２の部分の該サンプルに該調節量を加算することと
を含む、方法。